(57)【要約】【課題】複数の放電灯をバランサを介して並列点灯させるインバータ式の点灯装置において、低光束時や低温時にも光出力差を低減可能とする。【解決手段】インバータ部２の出力に接続され、インダクタＣＨとコンデンサＣ２を有する共振回路３の出力端に、バランサＴを介して複数の放電灯１１，１２が並列的に接続され、インバータ部２の発振周波数を変化させることにより放電灯を調光点灯させる発振制御部５を備える放電灯点灯装置において、前記バランサＴのインダクタンスと、前記バランサＴと各放電灯１１，１２との接続経路間に発生する寄生容量成分との共振作用によってバランサＴの巻線間に生じる調光下限点灯時の合成インピーダンスを全点灯時の合成インピーダンスの少なくとも４〜７倍以上とした。【選択図】図１
2008218334.tif 000002
【特許請求の範囲】
【請求項１】
直流電源に接続され、直流電圧を高周波電圧に変換するインバータ部と、このインバータ部の出力に接続され、少なくとも１つのインダクタとコンデンサを有する共振回路と、前記共振回路の出力端にバランサを介して複数の放電灯が並列的に接続される負荷回路と、前記インバータ部の発振周波数を変化させることにより放電灯の始動、および調光制御をおこなう発振制御部を備える放電灯点灯装置において、前記バランサのインダクタンスと、前記バランサと各放電灯との接続経路間に発生する寄生容量成分との共振作用によってバランサの巻線間に生じる調光下限点灯時の合成インピーダンスが全点灯時の合成インピーダンスの少なくとも４倍以上であることを特徴とする放電灯点灯装置。
【請求項２】
前記バランサのインダクタンスと、前記バランサと各放電灯との接続経路間に発生する寄生容量成分との共振作用によってバランサの巻線間に生じる調光下限点灯時の合成インピーダンスが全点灯時の合成インピーダンスの少なくとも７倍以上であることを特徴とする請求項１記載の放電灯点灯装置。
【請求項３】
前記バランサのインダクタンスと、前記バランサと各放電灯との接続経路間に発生する寄生容量成分との並列共振周波数ｆｏと、調光下限点灯時における前記インバータ部の発振周波数ｆｄｉｍの関係が０．８×ｆｄｉｍ≦ｆｏ≦１．６×ｆｄｉｍであることを特徴とする請求項１または２記載の放電灯点灯装置。
【請求項４】
前記バランサのインダクタンスと、前記バランサと各放電灯との接続経路間に発生する寄生容量成分との並列共振周波数ｆｏと、放電灯の始動時における前記インバータ部の発振周波数ｆｓｔｒとの関係がｆｏ≧１．３×ｆｓｔｒであることを特徴とする請求項１〜３のいずれかに記載の放電灯点灯装置。
【請求項５】
前記寄生容量成分は、バランサの巻線間に発生する寄生容量成分であり、前記バランサは各巻線を同時に、あるいは、複数回交互に巻き上げたことを特徴とする請求項１〜４のいずれかに記載の放電灯点灯装置。
【請求項６】
前記寄生容量成分は、バランサと各放電灯との接続経路の配線間に発生する寄生容量成分であることを特徴とする請求項１〜５のいずれかに記載の放電灯点灯装置。
【請求項７】
請求項１〜６のいずれかに記載の放電灯点灯装置を備える照明器具。
【発明の詳細な説明】
【技術分野】
【０００１】
本発明は複数の放電灯を高周波で点灯させ、且つ低光束まで連続的に調光できる放電灯点灯装置及びこれを用いた照明器具に関するものである。
【背景技術】
【０００２】
従来、複数の放電灯を広範囲にわたり連続的に調光が可能なインバータ式の点灯装置を用いて、複数灯の同じ種類の放電灯を点灯させた場合、各々の放電灯の光出力は本来なら同じになるはずであるが、通常、回路素子のばらつきや放電灯の特性ばらつき等によって光出力に差が生じることが知られている。この光出力の差は、光出力が大きい場合、例えば、放電灯が定格点灯に近いところで点灯されている時には放電灯間の光出力差は目立ちにくい。これは、放電灯の定格出力時に、ランプ輝度が高く、微小な光出力差を眼で認識できないため、小さな差であれば、さほど問題とならないためである。しかし、放電灯の定格点灯時に比べて、深く調光した場合（例えば光出力比５％以下）、ランプ輝度は低下し微小な光出力差に対しても、その差を眼で認識することができ、放電灯間の光出力の差が目立つようになる。
【０００３】
この問題を解決するために、例えば、図９に示すような点灯装置が特許第３２９１８５２号（特許文献１）で提案されている。この装置は、２灯の放電灯１１，１２をバランサＴを介して高周波電源１０の出力に並列接続している。このようなバランサＴを用いた並列点灯方式の場合、バランサＴは２灯のランプ電流を等しくなるようにする機能の他に、始動時において双方の放電灯１１，１２に充分な始動電圧を供給する機能がある。すなわち、通常、放電灯の始動時には、２灯の放電灯１１，１２の始動電圧のばらつきなどによって、どちらか一方の放電灯が先に放電を開始する。この時、点灯した放電灯の等価インピーダンスが小さくなることによって、バランサＴが無い場合には、もう一方の放電灯が始動するのに充分な電圧を得ることができずに、一方の放電灯のみしか点灯させることができなくなる。ここで、バランサＴを挿入することによって、一方の放電灯が先に放電を開始した時に、バランサＴには点灯した方の放電灯に接続された巻線に電流が流れることによって、もう一方の巻線に電圧が誘起され、もう一方の放電灯にも充分な始動電圧を供給することができるのである。
【０００４】
しかし、バランサＴの特性（主に２つの巻線のインダクタンス値の差）によって、光出力差が生じる。２灯の同じ種類の放電灯を点灯させる場合、２つの放電灯のランプ電流を等しくしなければならないため、バランサの２巻線のインダクタンス値を等しく設計する必要がある。しかし、バランサの構造によっては、２巻線のインダクタンス値に大きな差が生じたり、ばらつきが生じる場合があり、これが光出力差の原因となる。
【０００５】
特許文献１では、バランサＴは、図１０に示すように、第１の巻線Ｎ１と第２の巻線Ｎ２を交互に巻き上げることにより、２つの巻線Ｎ１，Ｎ２の中を通る磁束をほぼ等しくして、インダクタンス成分の差を小さくしたものである。このボビンＢはＥ型のコアＥｃに装着され、ギャップ紙Ｇｐを介してＩ型のコアＩｃを接合して磁気回路を構成している。このように構成されたバランサＴを介して高周波電源１０の出力に放電灯１１，１２を並列接続することによって、回路構成が簡単で、また、各放電灯の光出力の差を低減することができる。
【０００６】
図１１は図９の放電灯点灯装置の出力電圧の周波数特性である。先行予熱時には、放電灯１１，１２がまだ放電を開始していないため、通常、（ａ）に示すカーブのように、放電灯の等価インピーダンスは非常に大きな値（Ｒｌａ≒∞）となっている。ｆｒは無負荷共振周波数である。ここで、先行予熱時の発振周波数をｆｙとすると、動作点は図１１のＡ点となる。この時の二次電圧Ｖｙは、放電灯がコールドスタートしないような低い電圧となるように設定されている。
【０００７】
次に、先行予熱時間が経過すると、発振周波数を下げて放電灯の始動に充分な電圧まで出力電圧を大きくする。この時の発振周波数をｆｓｔｒとする。動作点は図１１のＢ点となる。この時の二次電圧Ｖｓが放電灯の始動電圧以上の電圧となるように発振周波数ｆｓｔｒを設定する。双方の放電灯が放電を開始するとランプの等価インピーダンスは小さくなり、点灯時の出力電圧の周波数特性は図１１の（ｄ）に示すカーブへと変化する。
【特許文献１】特許第３２９１８５２号公報
【発明の開示】
【発明が解決しようとする課題】
【０００８】
特許文献１の技術において、特に光出力比５％以下までの深い調光を行う場合や周囲温度が低下し、放電灯の照度が低下した場合等を考慮すると、バランサＴのインダクタンス値を２灯間の光出力差が目立たないレベルまで充分に大きくする必要がある。そのためにはバランサＴの総巻数を増やしたり、ギャップＧｐを調節し、インダクタンス値を大きくする必要がある。
【０００９】
ここで、例えば、巻線Ｎ１とＮ２を交互に巻き上げる方法として図１２（ａ）に示すように巻線Ｎ１，Ｎ２を同時に巻き上げるバイファイラ巻が挙げられる。この構造では巻線Ｎ１とＮ２を同時に巻き上げることによって巻線間の寄生容量が大きくなってしまう。なぜならば、巻線Ｎ１，Ｎ２を同時に巻き上げることで巻線間の距離が小さくなるからである。このため、巻線Ｎ１，Ｎ２を同時に巻き上げるバランサのインダクタンス値を大きくすると、巻線間の寄生容量が大きいためバランサの自己共振周波数ｆｏが極端に下がってしまい、インバータの点灯周波数の範囲内となってしまう。よって、通常点灯時におけるバランサの効果が損なわれ、複数の放電灯をバランス良く点灯させることができなくなってしまうという課題が挙げられる。
【００１０】
次に、図１２（ｂ）は単層整列巻のバランサの構造を示している。図１２（ｂ）のような単層整列巻の場合、巻線間の寄生容量は比較的小さくすることができる。これは第１の巻線Ｎ１を先に全て巻いて、次に第２の巻線Ｎ２を巻くので、巻線間の距離が大きくなるためである。そのため、バランサの自己共振周波数ｆｏを比較的高くすることができ、点灯時におけるバランサの効果が損なわれることを防止することができる。
【００１１】
しかしながら、例えば放電灯を始動させる際に、一方の放電灯が正常に始動しない場合など、一方の放電灯にのみ電流が発生することで、放電灯を含む共振回路の等価回路は図１３に示す回路となり、バランサの巻線のインダクタンスＬ１とコンデンサＣ３によって、先行予熱時とは異なる新たな共振回路が生じることになる。この１灯のみ点灯した状態での装置の出力電圧の周波数特性は図１１の（ｂ）に示すカーブとなる。この時の始動時の発振周波数ｆｓｔｒにおける動作点はＢ点からＢ’点へと変化し、もう一方の放電灯に必要とされる始動電圧以上の過大な高電圧ストレスが発生してしまう。よって、深い調光時における光出力差を低減するために、バランサＴのインダクタンス値を大きくした場合には、この高電圧ストレスによって回路素子が破壊する可能性があった。
【００１２】
本発明は広範囲にわたり連続的に調光が可能なインバータ式の点灯装置において、低光束まで調光した場合や周囲温度が低下した場合においても、放電灯の光出力差を低減でき、且つ、ストレスも低減できるような安定した調光の行える放電灯点灯装置を提供することを課題とする。
【課題を解決するための手段】
【００１３】
請求項１の発明は、上記の課題を解決するために、図１に示すように、直流電源１に接続され、直流電圧を高周波電圧に変換するインバータ部２と、このインバータ部２の出力に接続され、少なくとも１つのインダクタＣＨとコンデンサＣ２を有する共振回路３と、前記共振回路３の出力端にバランサＴを介して複数の放電灯１１，１２が並列的に接続される負荷回路４０と、前記インバータ部２の発振周波数を変化させることにより放電灯１１，１２の始動、および調光制御をおこなう発振制御部５を備える放電灯点灯装置において、前記バランサＴのインダクタンスと、前記バランサＴと各放電灯１１，１２との接続経路間に発生する寄生容量成分との共振作用によってバランサＴの巻線間に生じる調光下限点灯時の合成インピーダンスが全点灯時の合成インピーダンスの少なくとも４倍以上であることを特徴とするものである。
【００１４】
請求項２の発明は、請求項１記載の放電灯点灯装置において、前記バランサＴのインダクタンスと、前記バランサＴと各放電灯１１，１２との接続経路間に発生する寄生容量成分との共振作用によってバランサＴの巻線間に生じる調光下限点灯時の合成インピーダンスが全点灯時の合成インピーダンスの少なくとも７倍以上であることを特徴とする。
【００１５】
請求項３の発明は、前記バランサＴのインダクタンスと、前記バランサＴと各放電灯１１，１２との接続経路間に発生する寄生容量成分との並列共振周波数ｆｏと、調光下限点灯時における前記インバータ部２の発振周波数ｆｄｉｍの関係が０．８×ｆｄｉｍ≦ｆｏ≦１．６×ｆｄｉｍであることを特徴とする。
【００１６】
請求項４の発明は、請求項１〜３のいずれかに記載の放電灯点灯装置において、前記バランサＴのインダクタンスと、前記バランサＴと各放電灯１１，１２との接続経路間に発生する寄生容量成分との並列共振周波数ｆｏと、放電灯の始動時における前記インバータ部２の発振周波数ｆｓｔｒとの関係がｆｏ≧１．３×ｆｓｔｒであることを特徴とする。
【００１７】
請求項５の発明は、請求項１〜４のいずれかに記載の放電灯点灯装置において、前記寄生容量成分は、バランサＴの巻線間に発生する寄生容量成分であり、前記バランサＴは各巻線を同時に、あるいは、複数回交互に巻き上げたことを特徴とする。
【００１８】
請求項６の発明は、請求項１〜５のいずれかに記載の放電灯点灯装置において、前記寄生容量成分は、バランサＴと各放電灯１１，１２との接続経路の配線間に発生する寄生容量成分であることを特徴とする。
【００１９】
請求項７の発明は、請求項１〜６のいずれかに記載の放電灯点灯装置を備える照明器具である。
【発明の効果】
【００２０】
請求項１，２の発明によれば、バランサのインダクタンスと、前記バランサと各放電灯との接続経路間に発生する寄生容量成分との共振作用によってバランサの巻線間に生じる調光下限点灯時の合成インピーダンスが全点灯時の合成インピーダンスの少なくとも４〜７倍以上とすることにより、低温、低光束時における各放電灯の光出力差を低減することができる。また、バランサのインダクタンスを比較的小さな値とすることができるため、バランサの小型化が図れる。
【００２１】
請求項３の発明によれば、バランサのインダクタンスと、前記バランサと各放電灯との接続経路間に発生する寄生容量成分との並列共振周波数ｆｏと放電灯の調光下限点灯時におけるインバータ部の発振周波数ｆｄｉｍの関係が０．８×ｆｄｉｍ≦ｆｏ≦１．６×ｆｄｉｍとなることにより、低温、低光束時の各放電灯の照度差を低減することができる。
【００２２】
請求項４の発明によれば、バランサのインダクタンスと、前記バランサと各放電灯との接続経路間に発生する寄生容量成分との並列共振周波数ｆｏと放電灯の始動時におけるインバータ部の動作周波数ｆｓｔｒの関係がｆｏ≧１．３×ｆｓｔｒとなることにより、始動時のストレス電圧を低減することができる。
【００２３】
請求項５の発明によれば、各巻線を複数回同時にあるいは交互に巻き上げる回数を調整することにより、バランサと各放電灯との接続経路間に発生する寄生容量とバランサのインダクタンス値による共振周波数ｆｏを調整できる。
【００２４】
請求項６の発明によれば、配線の長さや配線間の距離を調整することにより、バランサと各放電灯との接続経路間に発生する寄生容量とバランサのインダクタンス値による共振周波数ｆｏを調整できる。
【００２５】
請求項７の発明によれば、複数の放電灯を並列点灯せしめる照明器具において、低温、低光束時における各放電灯の光出力差を低減できる。
【発明を実施するための最良の形態】
【００２６】
（実施の形態１）
以下、本発明の第１の実施の形態の放電灯点灯装置を図１、図２、図３に基づいて説明する。図１は本実施の形態の回路図を示しており、図２はバランサＴと、バランサＴと各放電灯との接続経路間に発生する寄生容量との並列共振作用によってバランサの巻線間に生じる合成インピーダンスの周波数特性を示したものである。また、図３（ａ）は４ｆｔの直管蛍光灯（ＦＨＦ３２）を周囲温度２５℃、および０℃で調光点灯した時のランプ電流とランプ電圧の実効値特性を示したものであり、図３（ｂ）はその負性抵抗値特性、すなわち図３（ａ）で示したランプ電流とランプ電圧の実効値特性の傾きを示したものである。まず、図１に基づいて、放電灯点灯装置の構成を説明する。
【００２７】
本実施の形態の放電灯点灯装置は、直流電源１を入力するハーフブリッジ接続された一対のスイッチング素子Ｑ１，Ｑ２よりなるインバータ部２と、スイッチング素子Ｑ１，Ｑ２を駆動する駆動回路６と、この駆動回路６に対して発振信号を供給する発振制御部５を有している。スイッチング素子Ｑ１，Ｑ２を駆動回路６により交互にスイッチングすることによって直流電源１の直流電圧を高周波電圧に変換する。スイッチング素子Ｑ２の両端には、共振回路３を構成するチョークコイルＣＨと、コンデンサＣ２を接続している。この共振回路３はスイッチング素子Ｑ１の両端に接続しても良い。共振回路３の出力端にはバランサＴ、直流カットコンデンサＣ４，Ｃ５を介して２灯の放電灯１１，１２が並列接続されている。インバータ部２の発振周波数は、発振制御部５によって決定され、その発振周波数でスイッチング素子Ｑ１，Ｑ２を交互にスイッチングさせる。また、この発振周波数を調光信号４に応じて変化させることによって、放電灯１１，１２を調光する。
【００２８】
図４は図１の放電灯点灯装置の出力電圧の周波数特性を示したものである。ここで、全点灯時の周波数特性（ａ）、及び調光点灯時の周波数特性（ｂ）、無負荷時の周波数特性（ｃ）は各々図４に示すように変化する。よって発振周波数をそれぞれｆｆｕｌｌからｆｄｉｍの間で可変することにより共振系の周波数特性が（ａ）から（ｂ）へと変化し、放電灯の連続的な調光を行うことができる。例えば、ＦＨＦ３２のランプを使用した場合は放電灯電流≦約１００ｍＡまで電流値を低下することで光出力比約２５％以下に調光することができる。また、放電灯電流≦約２０ｍＡまで電流値を低下することで光出力比約５％以下に調光することができる。
【００２９】
なお、インバータ部２はハーフブリッジ型の回路としているが、一石式やフルブリッジ型など他のインバータ回路の構成でもよい。
【００３０】
図２はバランサＴをバイファイラ巻き（巻数：Ｎ１＝Ｎ２＝１０５ターン）にて構成し、１巻線あたりのインダクタンスを１．９５ｍＨとしたときのバランサＴと、巻線間に発生する寄生容量との並列共振作用によって生じる１巻線間の合成インピーダンスの周波数特性を示したものである。バランサＴのインダクタンスと巻線間の寄生容量成分による並列共振周波数ｆｏは約１０５ｋＨｚであり、バランサＴの２巻線分のインダクタンス＝１．９５ｍＨ×４より、巻線間の寄生容量成分は約３００ｐＦであると計算される。よって、図２に示すように、バランサの巻線間の合成インピーダンスは並列共振作用により発振周波数の増大と共に指数関数的に増大し、並列共振周波数ｆｏよりも発振周波数が大きくなると、合成インピーダンスは指数関数的に減少するというインピーダンス特性を示す。
【００３１】
次に、図３（ａ）に示すように、４ｆｔの直管蛍光灯（ＦＨＦ３２）を周囲温度２５℃、および０℃で調光した時のランプ電流とランプ電圧の実効値特性は、ランプ電流の低下と共にランプ電圧が上昇する所謂放電灯特有の負性抵抗特性を示す。周囲温度２５℃においてはランプ電流が約５０ｍＡ以下になると、ランプ電流の低下と共にランプ電圧が減少するが、周囲温度０℃においては、ランプ電流の減少と共にランプ電圧は上昇を続ける。図３（ｂ）は、このランプ電流−電圧特性の傾き（負性抵抗値）をランプ電流毎にプロットしたものであり、周囲温度０℃においては、２５％調光時（ランプ電流＝約１００ｍＡ）の負性抵抗値は、全点灯時の負性抵抗値（＝約１００Ω）の約４倍（＝約４００Ω）まで増加し、５％調光時（ランプ電流＝約２０ｍＡ）の負性抵抗値は、全点灯時の負性抵抗値（＝約１００Ω）の約７倍（＝約７００Ω）にまで増加することがわかる。調光時や、低温時にインバータ回路によって点灯される複数の放電灯間に生じる出力差は、この放電灯の負性抵抗値の増大によるものであり、バランサＴと、巻線間に発生する寄生容量との並列共振作用によって生じる合成インピーダンスの変化が点灯する放電灯の負性抵抗値の変化よりも大きくなるように構成することにより、調光時や、低温時においても点灯される複数の放電灯間に生じる出力差を低減することが可能となる。
【００３２】
よって、一般照明用途として通常想定される最低周囲温度が０℃であるとすると、例えば調光比が全点灯時の光出力の約２５％以下まで調光しようとする場合には、インバータ回路の発振周波数の変化に応じて、調光下限点灯時におけるバランサＴと巻線間に発生する寄生容量の合成インピーダンスが全点灯時の合成インピーダンスの約４倍以上に変化する様にバランサＴのインダクタンスと巻線間に発生する寄生容量を構成することが必要となる。また、調光比が全点灯時の光出力の約５％以下まで調光しようとする場合には、インバータ回路の発振周波数の変化に応じて、調光下限点灯時におけるバランサＴと巻線間に発生する寄生容量の合成インピーダンスが全点灯時の合成インピーダンスの約７倍以上に変化する様にバランサＴのインダクタンスと巻線間に発生する寄生容量を構成することが必要となる。
【００３３】
なお、巻線間に発生する寄生容量は、巻線の長さ、すなわち巻数を調整することにより調整可能であり、巻線のインダクタンスはコアのギャップを調整することにより調整可能であるため、このような特性のバランサを構成することは容易である。また、図１２（ａ）に示すような各巻線を同時に巻き上げるバイファイラ巻だけではなく、例えば、図５（ａ），（ｂ）に示すサンドイッチ巻のように各巻線を複数回交互に巻き上げることによっても、巻線間に発生する寄生容量を調整することができる。
【００３４】
図１の回路では、従来例の図９における直流カットコンデンサＣ３に代えて、２個の直流カットコンデンサＣ４，Ｃ５を容量を半分にして接続しているが、このような構成においてもバランサの巻線間の寄生容量に対して直流カットコンデンサＣ４，Ｃ５の容量は充分に大きいため、バランサＴを介する前に直流成分をカットしても、バランサＴを介した後で直流成分をそれぞれカットしても同様の特性を表すことができる。したがって、従来例の図９の回路でも、巻線間に発生する寄生容量を調整することで、同様の効果を達成することできる。
【００３５】
なお、図３では、放電灯の代表特性としてＦＨＦ３２（管径＝約２５．４ｍｍ）蛍光灯の特性を例に説明したが、その他の直管蛍光灯やコンパクト蛍光灯等の放電灯も同様な負性抵抗特性を示すことが知られている。また、ＦＨＦ３２よりも管径の細い放電灯においては、調光時や低温時の負性抵抗値の変動特性がＦＨＦ３２の変動特性よりも大きいものがあるが、少なくとも本実施の形態で説明した構成により、放電灯間の光出力差の改善効果を同様に得ることができる。
【００３６】
本実施の形態によると、バランサＴのインダクタンスを必要以上に大きくすることなく、調光時や、低温時におけるインバータ回路によって点灯される複数の放電灯間の光出力差を低減できるため、バランサＴの小型化が可能となる。
【００３７】
（実施の形態２）
本発明の実施の形態２を図６に基づいて説明する。図６はバランサＴのインダクタンスを１．３ｍＨとし、巻線間の寄生容量成分を変化させた時の、バランサＴのインダクタンスと寄生容量成分の並列共振周波数ｆｏと、放電灯１１、１２の各々に流れる電流の電流差比率との関係を示したものである。点灯条件は、調光下限調光比＝５％（インバータ発振周波数＝１００ｋＨｚ）とし、また、低温時の放電灯特性ばらつきを考慮し、放電灯１１、１２は等価抵抗値が各々５ｋΩと１０ｋΩの固定抵抗に置き換えた。なお、電流差比率は、放電灯１１、１２に流れる電流の平均値と一方の放電灯に流れる電流との差（絶対値）の前記平均電流値に対する比率を示している。
【００３８】
図６によると、インバータ発振周波数＝１００ｋＨｚに対して、並列共振周波数ｆｏが８０ｋＨｚ〜１６０ｋＨｚの範囲内であれば電流差比率を約３０％以下とすることが可能であり、目視によって放電灯間の光出力差が実質的に認識し難いレベルにまで電流差比率を低減することが可能である。
【００３９】
本実施の形態より、バランサＴのインダクタンスと、巻線間の容量成分との並列共振周波数ｆｏと、調光下限点灯時におけるインバータ部の発振周波数ｆｄｉｍとの関係が０．８×ｆｄｉｍ≦ｆｏ≦１．６×ｆｄｉｍとなるようにバランサＴのインダクタンスと、巻線間の容量成分を構成することにより、調光時においても目視によって放電灯間の光出力差が実質的に認識し難いレベルにまで光出力差を改善することが可能となる。
【００４０】
（実施の形態３）
本発明の実施の形態３を図７に基づいて説明する。図７はバランサＴのインダクタンスを１．３ｍＨとし、巻線間の容量成分を変化させた時の、バランサＴのインダクタンスと巻線間の容量成分との並列共振周波数ｆｏと、放電灯１１、１２のうち、一方の放電灯が先に放電を開始した場合に他方の放電灯両端に発生する電圧との関係を示したものである。点灯条件は、放電灯の始動時におけるインバータ発振周波数を想定し、インバータ発振周波数ｆｓｔｒ＝７０ｋＨｚとした。
【００４１】
図７によると、始動時におけるインバータ発振周波数ｆｓｔｒ＝７０ｋＨｚに対して、並列共振周波数ｆｏが９０ｋＨｚ以上であれば、点灯していない他方の放電灯を始動させるに十分な電圧を発生させると共に、１０００Ｖ以上もの過剰な電圧が発生することによる部品ストレスを低減することが可能である。
【００４２】
本実施の形態より、バランサＴのインダクタンスと、巻線間の寄生容量成分との並列共振周波数ｆｏと、放電灯の始動時におけるインバータ部の発振周波数ｆｓｔｒとの関係がｆｏ≧１．３×ｆｓｔｒとなるようにバランサＴのインダクタンスと、巻線間の寄生容量成分を構成することにより、放電灯の始動時において、一方の放電灯が先に放電を開始した場合においても、他方の放電灯を始動させるに十分な電圧を発生しつつ、回路を構成する部品に印加されるストレスを低減することが可能となる。
【００４３】
（実施の形態４）
本発明の第４の実施の形態を図８に基づいて説明する。図８はバランサＴから放電灯１１，１２までの配線の長さｌ１及び配線間の距離ｄ１を示している。この時の配線としては放電灯点灯装置から放電灯１１，１２を装着するソケット間を接続するランプ配線である。実施の形態１，２ではバランサの第１の巻線Ｎ１、第２の巻線Ｎ２を交互に巻き上げる回数を調整し、実施の形態１，２の条件を満たすことで高電圧ストレス及び光出力差を低減させることができる。これに対し、本実施の形態では、バランサＴから放電灯１１，１２までの配線の長さｌ１や配線間の距離ｄ１を調整することでランプ配線間に発生する寄生容量を利用し、バランサＴのインダクタンス値との共振特性を持たせることにより、高電圧ストレス及び光出力差を低減させたものである。配線間に発生する寄生容量はバランサＴから放電灯１１，１２までの配線長ｌ１が大きければ大きいほど増やすことができ、配線間の距離ｄ１が小さければ小さいほど増えるためである。例えば、通常のランプ配線を密着又は互いに束ねて配線した場合、配線長（ｌ１）１ｍあたり約５０ｐＦ程度の寄生容量を得ることができる。よって、このような構成において、バランサと配線間寄生容量との共振周波数ｆｏとインバータの動作周波数との関係が実施の形態１，２の条件を満たすのであれば、同様の効果を得ることができる。
【００４４】
（実施の形態５）
図１４は本発明の放電灯点灯装置を搭載した照明器具の外観を一例として示している。図中、Ｒは反射板、Ｓ１，Ｓ２はランプ１１のソケット、Ｓ３，Ｓ４はランプ１２のソケットである。
【図面の簡単な説明】
【００４５】
【図１】本発明の実施の形態１の回路図である。
【図２】本発明の実施の形態１に用いるバランサと容量成分による合成インピーダンスの周波数特性図である。
【図３】本発明の実施の形態１に用いる放電灯負荷の特性図である。
【図４】本発明の実施の形態１の負荷回路の共振特性を示す特性図である。
【図５】本発明に用いるバランサの概略断面図である。
【図６】本発明の実施の形態２の動作説明のための周波数特性図である。
【図７】本発明の実施の形態３の動作説明のための周波数特性図である。
【図８】本発明の実施の形態３の回路図である。
【図９】従来例の回路図である。
【図１０】従来例に用いるバランサの概略断面図である。
【図１１】従来例の共振特性を示す特性図である。
【図１２】従来例に用いる他のバランサの概略断面図である。
【図１３】従来例の１灯不点灯時の等価回路図である。
【図１４】本発明の放電灯点灯装置を搭載した照明器具の外観を示す斜視図である。
【符号の説明】
【００４６】
１  直流電源
２  インバータ部
３  共振回路
５  発振制御部
Ｔ  バランサ
１１  放電灯
１２  放電灯
４０  負荷回路
【図１】
2008218334.tif 000003
【図２】
2008218334.tif 000004
【図３】
2008218334.tif 000005
【図４】
2008218334.tif 000006
【図５】
2008218334.tif 000007
【図６】
2008218334.tif 000008
【図７】
2008218334.tif 000009
【図８】
2008218334.tif 000010
【図９】
2008218334.tif 000011
【図１０】
2008218334.tif 000012
【図１１】
2008218334.tif 000013
【図１２】
2008218334.tif 000014
【図１３】
2008218334.tif 000015
【図１４】
2008218334.tif 000016